(57)【特許請求の範囲】
【請求項１】
設備機器と、
前記設備機器を操作する設備操作端末と
を備え、
前記設備操作端末は、
情報が表示される画面を有する表示部と、
前記表示部の前記画面に前記情報が表示される際に用いられる画面テーマ情報を記憶するデータ管理部と、
前記画面テーマ情報を用いて前記表示部の前記画面の表示を制御する制御部と、
前記設備機器と通信する設備機器通信管理部と、
外部端末と通信する端末通信管理部と
を有し、
前記設備操作端末を管理する前記外部端末であるサーバをさらに備え、
前記サーバは、
前記設備操作端末を特定する機器特定番号と、前記機器特定番号に関連付けられた前記画面テーマ情報と、前記設備操作端末にインストールされたソフトウェアのバージョンを示す機器ソフトウェアバージョン情報と、前記機器ソフトウェアバージョン情報に関連付けられた前記画面テーマ情報とを記憶するサーバ記憶部と、
前記機器特定番号に関連付けられた前記画面テーマ情報を、前記機器特定番号によって特定される前記設備操作端末に送信し、前記機器ソフトウェアバージョン情報に関連付けられた前記画面テーマ情報を、前記設備操作端末に送信するサーバ制御部と
を有し、
前記設備操作端末の前記制御部は、前記サーバから受信した前記機器特定番号に関連付けられた前記画面テーマ情報を用いて前記表示部の前記画面の表示を制御し、前記サーバから受信した、前記設備操作端末にインストールされたソフトウェアのバージョンを示す機器ソフトウェアバージョン情報に関連付けられた前記画面テーマ情報を用いて前記表示部の前記画面の表示を制御する
ことを特徴とする設備管理システム。
【請求項２】
設備機器と、
前記設備機器を操作する設備操作端末と
を備え、
前記設備操作端末は、
情報が表示される画面を有する表示部と、
前記表示部の前記画面に前記情報が表示される際に用いられる画面テーマ情報を記憶するデータ管理部と、
前記画面テーマ情報を用いて前記表示部の前記画面の表示を制御する制御部と、
前記設備機器と通信する設備機器通信管理部と、
外部端末と通信する端末通信管理部と
を有し、
前記設備操作端末を管理する前記外部端末であるサーバをさらに備え、
前記サーバは、
前記設備操作端末にインストールされたソフトウェアのバージョンを示す機器ソフトウェアバージョン情報と、前記機器ソフトウェアバージョン情報に関連付けられた前記画面テーマ情報とを記憶するサーバ記憶部と、
前記機器ソフトウェアバージョン情報に関連付けられた前記画面テーマ情報を、前記設備操作端末に送信するサーバ制御部と、
前記サーバ制御部によって制御される表示装置と
を有し、
前記サーバ制御部は、前記サーバ記憶部に記憶された前記画面テーマ情報を用いて前記表示装置の表示制御を実行している状態で、前記表示制御に用いられている前記画面テーマ情報を前記設備操作端末に送信し、
前記設備操作端末の前記制御部は、前記サーバから受信した前記画面テーマ情報を用いて前記表示部の前記画面の表示を制御し、前記サーバから受信した、前記設備操作端末にインストールされたソフトウェアのバージョンを示す機器ソフトウェアバージョン情報に関連付けられた前記画面テーマ情報を用いて前記表示部の前記画面の表示を制御する
ことを特徴とする設備管理システム。
【発明の詳細な説明】
【技術分野】
【０００１】
本発明は、設備機器を操作するための設備操作端末に関する。
【背景技術】
【０００２】
一般に、コンビニエンスストアなどに設置される印刷機器は、ユーザー（例えば、コンビニエンスストアの顧客）が、印刷条件の確認及び印刷指示の入力を行うための表示部（コントロールパネル）を有する設備操作端末を備える。このような設備操作端末における表示部の画面は、通常、文字及び画像などの大きさ、配置、及び動きなどの画面デザインが予め定められており、ユーザーによって画面デザインが変更できない仕様となっている。このような印刷機器は汎用性に欠けるため、ユーザーの代わりにシステム管理者が遠隔管理することによって、設備操作端末の表示部の画面をカスタマイズ可能なサーバシステムが提案されている（例えば、特許文献１参照）。
【先行技術文献】
【特許文献】
【０００３】
【特許文献１】特開２０１４−４８８２５号公報（図１及び２参照）
【発明の概要】
【発明が解決しようとする課題】
【０００４】
しかしながら、従来のサーバシステムを構成する設備操作端末には、表示部の画面デザインを変更するための情報を格納する記憶部（管理部）及び制御部が備えられていないため、設備操作端末に接続された設備機器に、設備操作端末の画面デザインを変更するための記憶部及び制御部を備える必要があった。そのため、設備操作端末の画面デザインを変更する際には、設備機器がサーバとの間でデータ通信を行い、設備機器が設備操作端末を制御して、画面デザインの変更を実行するため、設備機器の動作負荷が大きいという問題があった。
【０００５】
そこで、本発明の目的は、設備機器を操作するための画面の画面デザインの変更を容易にする設備操作端末を提供することである。
【課題を解決するための手段】
【０００６】
本発明の一態様に係る設備管理システムは、設備機器と、前記設備機器を操作する設備操作端末とを備え、前記設備操作端末は、情報が表示される画面を有する表示部と、前記表示部の前記画面に前記情報が表示される際に用いられる画面テーマ情報を記憶するデータ管理部と、前記画面テーマ情報を用いて前記表示部の前記画面の表示を制御する制御部と、前記設備機器と通信する設備機器通信管理部と、外部端末と通信する端末通信管理部とを有し、前記設備操作端末を管理する前記外部端末であるサーバをさらに備え、前記サーバは、前記設備操作端末を特定する機器特定番号と、前記機器特定番号に関連付けられた前記画面テーマ情報と、前記設備操作端末にインストールされたソフトウェアのバージョンを示す機器ソフトウェアバージョン情報と、前記機器ソフトウェアバージョン情報に関連付けられた前記画面テーマ情報とを記憶するサーバ記憶部と、前記機器特定番号に関連付けられた前記画面テーマ情報を、前記機器特定番号によって特定される前記設備操作端末に送信し、前記機器ソフトウェアバージョン情報に関連付けられた前記画面テーマ情報を、前記設備操作端末に送信するサーバ制御部とを有し、前記設備操作端末の前記制御部は、前記サーバから受信した前記機器特定番号に関連付けられた前記画面テーマ情報を用いて前記表示部の前記画面の表示を制御し、前記サーバから受信した、前記設備操作端末にインストールされたソフトウェアのバージョンを示す機器ソフトウェアバージョン情報に関連付けられた前記画面テーマ情報を用いて前記表示部の前記画面の表示を制御することを特徴とする。本発明の他の態様に係る設備管理システムは、設備機器と、前記設備機器を操作する設備操作端末とを備え、前記設備操作端末は、情報が表示される画面を有する表示部と、前記表示部の前記画面に前記情報が表示される際に用いられる画面テーマ情報を記憶するデータ管理部と、前記画面テーマ情報を用いて前記表示部の前記画面の表示を制御する制御部と、前記設備機器と通信する設備機器通信管理部と、外部端末と通信する端末通信管理部とを有し、前記設備操作端末を管理する前記外部端末であるサーバをさらに備え、前記サーバは、前記設備操作端末にインストールされたソフトウェアのバージョンを示す機器ソフトウェアバージョン情報と、前記機器ソフトウェアバージョン情報に関連付けられた前記画面テーマ情報とを記憶するサーバ記憶部と、前記機器ソフトウェアバージョン情報に関連付けられた前記画面テーマ情報を、前記設備操作端末に送信するサーバ制御部と、前記サーバ制御部によって制御される表示装置とを有し、前記サーバ制御部は、前記サーバ記憶部に記憶された前記画面テーマ情報を用いて前記表示装置の表示制御を実行している状態で、前記表示制御に用いられている前記画面テーマ情報を前記設備操作端末に送信し、前記設備操作端末の前記制御部は、前記サーバから受信した前記画面テーマ情報を用いて前記表示部の前記画面の表示を制御し、前記サーバから受信した、前記設備操作端末にインストールされたソフトウェアのバージョンを示す機器ソフトウェアバージョン情報に関連付けられた前記画面テーマ情報を用いて前記表示部の前記画面の表示を制御することを特徴とする。
【発明の効果】
【０００７】
本発明によれば、設備機器を操作するための設備操作端末の画面の画面デザインの変更を容易にすることができる。
【図面の簡単な説明】
【０００８】
【図１】本発明の実施の形態に係る設備管理システム及び設備操作端末管理システムの構成を概略的に示すブロック図である。
【図２】設備操作端末の構成を概略的に示すブロック図である。
【図３】（ａ）は、第１の画面テーマ情報に基づいて描画された表示部の画面の表示例（初期画面モード）を示す図であり、（ｂ）は、第２の画面テーマ情報に基づいて描画された表示部の画面の表示例（カスタマイズ画面モード）を示す図である。
【図４】第１の画面テーマ情報に基づいて描画された表示部の画面の他の表示例を示す図である。
【図５】携帯端末の構成を概略的に示すブロック図である。
【図６】サーバの構成を概略的に示すブロック図である。
【図７】設備操作端末における表示部の画面の画面デザインの変更処理の一例を示すシーケンス図である。
【図８】変形例に係る設備操作端末における制御部の構成を示すブロック図である。
【発明を実施するための形態】
【０００９】
実施の形態．
本発明の実施の形態について説明する。
【００１０】
図１は、本発明の実施の形態に係る設備管理システム１の構成を概略的に示すブロック図である。
【００１１】
図１に示されるように、設備管理システム１は、複数の設備機器２と、設備機器２を操作する少なくとも１つの設備操作端末３とを有する。設備管理システム１は、外部端末としての携帯端末４及び外部端末としてのサーバ５（遠隔サーバ）の少なくともいずれかを有してもよい。設備管理システム１における複数の設備機器２をまとめて設備機器群６とも称する。携帯端末４は、インターネット７を用いて、設備操作端末３とサーバ５との間の通信を中継する。サーバ５は、少なくとも１つの設備操作端末３を管理する。サーバ５は、例えば、ビル内のＬＡＮ（Ｌｏｃａｌ  Ａｒｅａ  Ｎｅｔｗｏｒｋ）に接続されていてもよい。サーバ５は、例えば、データサーバ又はメールサーバである。
【００１２】
本実施の形態では、設備機器２は、空調機器である。ただし、設備機器２は、設備操作端末３によって操作される機器であれば、空調機器以外の機器（例えば、照明機器など）であってもよい。
【００１３】
設備機器２と設備操作端末３とは、専用通信線Ｃ１を介して互いに通信可能に接続されている。
【００１４】
本実施の形態では、各設備機器２は、ビル内の指定場所に設置されている。各設備機器２は、設備操作端末３の管理下で動作する。各設備機器２の運転状態情報、異常情報、及びメンテナンス情報は、専用通信線Ｃ１を介して設備操作端末３に通知される。
【００１５】
図２は、設備操作端末３の構成を概略的に示すブロック図である。
設備操作端末３は、表示部１０（表示装置）と、入力部２０（入力装置）と、制御部３０と、記憶部（情報記憶部）としてのデータ管理部４０と、設備機器通信管理部９１と、端末通信管理部９２とを有する。
【００１６】
設備操作端末３は、無線通信線Ｃ２を介して携帯端末４と通信可能に接続されている。設備操作端末３は、少なくとも１つの設備機器２を管理及び制御する。
【００１７】
図３（ａ）は、第１の画面テーマ情報に基づいて描画された表示部１０の画面１０ａの表示例（初期画面モード）を示す図である。
図３（ｂ）は、第２の画面テーマ情報に基づいて描画された表示部１０の画面１０ａの表示例（カスタマイズ画面モード）を示す図である。
【００１８】
表示部１０は、情報（コンテンツ）が表示される画面１０ａを有する。表示部１０は、制御部３０によって制御される。図３（ａ）及び（ｂ）に示されるように、表示部１０の画面１０ａ上において、監視操作タブ、スケジュールタブ、異常履歴タブのように、複数のタブ（画面項目）を選択することにより、画面１０ａにおける表示内容を切り替えることができる。例えば、図３（ａ）及び（ｂ）に示されるように、監視操作タブが選択された場合、表示部１０の画面１０ａには、設備機器２の監視及び操作を行うための情報（監視操作画面）が表示される。図３（ａ）及び（ｂ）に示される例では、設備機器２の設置場所、気候を示す画像、設備機器２の運転モード（“暖房”）、設定温度（“２６℃”）、日付、及び時間が表示されている。
【００１９】
表示部１０は、設備機器２の監視及び操作を行うための情報以外の情報（画像などを含む）を表示することもできる。
図４は、第１の画面テーマ情報に基づいて描画された表示部１０の画面１０ａの他の表示例を示す図である。図３（ａ）の画面１０ａにおいて、スケジュールタブが選択された場合、表示部１０の画面１０ａは、図４に示されるように、監視操作画面からスケジュール画面に切り替わる。スケジュール画面では、ユーザーは、設備機器２の運転のタイマー予約を設定することができ、運転モード（暖房又は冷房）、設定温度、風向きなどを予め設定することができる。
【００２０】
さらに、制御部３０は、複数の画像（例えば、商品の宣伝用の情報を含む画像、ブランドのロゴマークなど）を予め定められた期間ごとに切り替えて表示部１０の画面１０ａに表示させることができる。
【００２１】
入力部２０は、ボタン、タッチパネル等の情報入力用デバイスである。入力部２０は、表示部１０上の画面１０ａの外側に備えられていてもよい。入力部２０がタッチパネルである場合、表示部１０の画面１０ａと入力部２０とが一体化される。ユーザーは、入力部２０から情報を設備操作端末３に入力することができる。さらに、ユーザーは、入力部２０を用いて、表示部１０の画面１０ａの表示の切り換え、設備機器２の操作等を行うことができる。
【００２２】
制御部３０は、設備機器管理部３１と、画面表示処理部３２と、画面テーマ管理部３３とを有する。
【００２３】
設備機器管理部３１は、各設備機器２の運転状態の監視及び制御を行う。
【００２４】
画面テーマ管理部３３は、データ管理部４０への情報の書き込みと、データ管理部４０に記憶された情報の読み出しとを行う。さらに、画面テーマ管理部３３は、端末通信管理部９２を介して、携帯端末４との間で情報の送受信を行う。
【００２５】
画面表示処理部３２は、表示部１０の画面１０ａ上を描画する描画エンジンとして動作する。具体的には、画面表示処理部３２は、データ管理部４０に記憶された画面テーマ情報７０を用いて表示部１０の画面１０ａの表示を制御する。
【００２６】
本実施の形態では、表示部１０の画面１０ａの表示モードは、図３（ａ）に示される初期画面モードと、図３（ｂ）に示されるカスタマイズ画面モードとを含む。
【００２７】
初期画面モードとは、予め定められた第１の画面テーマ情報に基づいて表示部１０の画面１０ａに情報が表示される表示モードである。設備操作端末３の初期設定時には、初期画面モードによって表示部１０の画面１０ａに情報が表示される。
【００２８】
カスタマイズ画面モードとは、端末通信管理部９２を介して外部端末（例えば、携帯端末４）から受信した第２の画面テーマ情報に基づいて表示部１０の画面１０ａに情報が表示される表示モードである。第２の画面テーマ情報は、設備操作端末３又はサーバ５のユーザーによって作成又は編集可能な情報である。すなわち、カスタマイズ画面モードは、ユーザーによって作成又は編集された画面テーマ情報に基づいて表示部１０の画面１０ａが描画される表示モードである。
【００２９】
データ管理部４０は、設備機器情報５０と、画面部品情報６０と、画面テーマ情報７０と、端末情報８０とを記憶することができ、これらの情報を管理する。
【００３０】
本実施の形態では、データ管理部４０は、表示部１０の画面１０ａに情報が表示される際に用いられる画面テーマ情報７０を管理する。例えば、データ管理部４０は、予め定められた第１の画面表示データを画面テーマ情報７０内に記憶している。さらに、データ管理部４０は、端末通信管理部９２を介して外部端末（例えば、携帯端末４）から受信した第２の画面表示データを画面テーマ情報７０内に記憶することができる。
【００３１】
画面テーマ情報７０は、有効テーマ番号７１と、複数組の画面表示データ７２と、表示部１０の画面１０ａに表示されるテキストデータの言語の種類を指定する言語指定情報７３とを含む。
【００３２】
複数組の画面表示データ７２の各々（１組の画面表示データ７２）は、表示部１０の画面１０ａの画面デザイン（「画面テーマ」とも称する）を決定するデータ（デザイン要素）の集合である。例えば、複数組の画面表示データ７２の各々は、部品画像、部品サイズ、表示座標などのデータを有する。
【００３３】
部品画像（画像データ）は、ボタン部品、メニューバー部品、テキスト表示部品（種々のフォントによるテキストデータ）など、表示部１０の画面１０ａ上に表示される部品としてのデータである。部品サイズ（サイズデータ）は、部品画像のサイズを定めるデータである。表示座標（レイアウトデータ）は、部品画像の配置（表示位置）を、表示部１０の画面１０ａにおける２次元座標（ｘ，ｙ）によって定めるデータである。
【００３４】
本実施の形態では、複数組の画面表示データ７２の内の第１の画面表示データは、設備操作端末３の初期設定時（初期画面モード時）に用いられる１組のデータである。設備操作端末３の初期設定時とは、例えば、設備操作端末３の工場出荷後に、初めて表示部１０画面１０ａに情報を表示させるタイミングのことである。第１の画面表示データは、設備操作端末３の工場出荷時にデータ管理部４０に記憶されている。ただし、設備操作端末３の工場出荷後に、第１の画面表示データをデータ管理部４０に記憶させてもよい。
【００３５】
さらに、複数組の画面表示データ７２の内の第２の画面表示データは、カスタマイズ画面モード時に用いられるデータである。第２の画面表示データは、ユーザーによって作成又は編集された１組のデータである。第２の画面表示データは、設備操作端末３が端末通信管理部９２を介して外部端末（例えば、携帯端末４）から受信し、データ管理部４０に記憶される。
【００３６】
さらに、データ管理部４０は、第１の画面表示データ又は第２の画面表示データの内容が編集された１組のデータを、第３の画面表示データとして記憶することができる。第２の画面表示データの内容を編集した場合、第２の画面表示データに対する差分データを、第３の画面表示データとしてデータ管理部４０に記憶させてもよい。
【００３７】
有効テーマ番号７１は、複数組の画面表示データ７２の内のいずれかに関連付けられる番号である。例えば、第１の画面表示データに関連付けられる有効テーマ番号７１は“０”であり、第２の画面表示データに関連付けられる有効テーマ番号７１は“１”である。ただし、有効テーマ番号７１は、数字に限られず、文字、記号、又はこれらの組み合わせであってもよい。有効テーマ番号７１は、制御部３０（例えば、画面テーマ管理部３３）によって設定される。
【００３８】
言語指定情報７３は、日本語、英語、又は中国語などの言語の種類を指定する情報である。制御部３０（例えば、画面テーマ管理部３３）が、言語指定情報７３を設定することにより、表示部１０の画面１０ａに表示させるテキストデータの言語の種類を設定する。各言語によるテキストデータは、データ管理部４０内に記憶されている。
【００３９】
画面部品情報６０は、表示部１０の画面１０ａの画面デザインを決定するデータ（デザイン要素）の集合である。本実施の形態では、画面部品情報６０は、部品画像６１と、部品サイズ６２と、表示座標６３とを含む。ただし、画面部品情報６０は、部品画像６１、部品サイズ６２、及び表示座標６３以外の要素を含んでもよい。例えば、画面部品情報６０は、スクリーンセーバーのような定期的に表示内容が切り替わる画面表示要素を含んでもよい。さらに、画面部品情報６０は、季節、時間（朝、夜など）によって表示部１０の画面１０ａを自動的に切り替えるための情報、画像などを有してもよい。
【００４０】
画面部品情報６０は、有効テーマ番号７１に関連付けられた画面表示データ７２（複数の画面表示データ７２の内のいずれか）に対応する情報である。
【００４１】
例えば、有効テーマ番号７１が“０”である場合、画面部品情報６０内の情報は、第１の画面表示データに対応する情報（データの集合）である。この場合、画面部品情報６０の内の部品画像６１、部品サイズ６２、及び表示座標６３は、第１の画面表示データに含まれる部品画像、部品サイズ、表示座標にそれぞれ対応する。
【００４２】
例えば、制御部３０（画面テーマ管理部３３）が、有効テーマ番号７１を“０”に設定した場合、制御部３０は、複数組の画面表示データ７２の内の第１の画面表示データを選択し、第１の画面表示データを画面部品情報６０として設定する。
【００４３】
部品画像６１（画像データ）は、ボタン部品、メニューバー部品、テキスト表示部品（種々のフォントによるテキストデータ）など、表示部１０の画面１０ａ上に表示される部品としてのデータである。部品サイズ６２（サイズデータ）は、部品画像６１のサイズを定めるデータである。表示座標６３（レイアウトデータ）は、部品画像６１の配置（表示位置）を、表示部１０の画面１０ａにおける２次元座標（ｘ，ｙ）によって定めるデータである。
【００４４】
設備機器情報５０は、設備機器群６（各設備機器２）の運用情報５１と、接続情報５２とを含む。運用情報５１は、各設備機器２の運用情報を示すデータである。例えば、運用情報５１は、運転状態と、停止状態と、冷房及び暖房などの運転モードと、設定温度と、室内温度と、メンテナンス時に用いられる各設備機器２の詳細データ及び異常データとを含む。設備操作端末３と各設備機器２との間のデータ通信により、運用情報５１は、随時最新の状態に更新される。接続情報５２は、各設備機器２に割り振られたアドレスである。
【００４５】
端末情報８０は、機器特定番号８１と、機器Ｓ／Ｗ（ソフトウェア）バージョン８２（機器ソフトウェアバージョン情報）とを含む。機器特定番号８１は、設備操作端末３を識別するための情報である。例えば、機器特定番号８１は、製造番号、固有ＩＤなどの設備操作端末３を特定可能な情報である。機器Ｓ／Ｗバージョン８２は、設備操作端末３にインストールされたソフトウェア（例えば、制御部３０に格納されたプログラム）のバージョンを示す情報である。
【００４６】
設備機器通信管理部９１は、設備機器２と通信する。
【００４７】
端末通信管理部９２は、外部端末としての携帯端末４と通信する。本実施の形態では、端末通信管理部９２は、無線通信によって携帯端末４と通信可能な無線通信管理部として機能する。ただし、設備操作端末３は、端末通信管理部９２を介して携帯端末４と有線通信を行ってもよい。さらに、設備操作端末３は、携帯端末４を介さずに、サーバ５と無線通信又は有線通信を行ってもよい。
【００４８】
図５は、携帯端末４の構成を概略的に示すブロック図である。
携帯端末４は、表示部１１０（表示装置）と、入力部１２０（入力装置）と、制御部１３０と、外部通信管理部１４１と、通信部１４２とを有する。携帯端末４は、インターネット上のサーバ５から取得した情報を、設備操作端末３に送信することが可能である。携帯端末４は、ＢＬＥ（Ｂｌｕｅｔｏｏｔｈ（登録商標）  Ｌｏｗ  Ｅｎｅｒｇｙ）、無線ＬＡＮなどの無線通信線Ｃ２によって設備操作端末３と通信し、サーバ５から取得した画面テーマ情報を設備操作端末３に書き込む処理を行う。
【００４９】
表示部１１０は、制御部１３０によって制御される。表示部１１０は、情報が表示される画面を有する。例えば、表示部１１０の画面には、設備操作端末３に記憶される画面表示データ７２又はサーバ５に記憶される画面表示データ２３４の作成画面、編集画面、及び選定画面、並びに設備操作端末３又はサーバ５との通信操作画面などが表示される。表示部１１０の画面の表示は、携帯端末４上で動作するアプリケーションソフトウェアに従って実行される。ただし、Ｗｅｂシステム方式によって表示部１１０の画面の表示が実行されてもよい。
【００５０】
入力部１２０は、ボタン、タッチパネル等の情報入力用デバイスである。入力部１２０がタッチパネルである場合は、入力部１２０は表示部１１０上に備えられる。ユーザーは、入力部１２０から情報を携帯端末４に入力することができる。さらに、ユーザーは、入力部１２０を用いて、表示部１１０の画面の切り換え、画面表示データの送信等の操作を行うことができる。
【００５１】
制御部１３０は、操作端末接続管理部１３１と、サーバ接続管理部１３２と、画面テーマ同期部１３３とを有する。制御部１３０は、サーバ５から取得した画面テーマ情報２３６（画面表示データ２３４）を、設備操作端末３に送信する処理を行う。
【００５２】
操作端末接続管理部１３１は、設備操作端末３との接続管理を行う。
【００５３】
サーバ接続管理部１３２は、サーバ５との接続を制御し、サーバ５との間でデータの送受信を行う。
【００５４】
画面テーマ同期部１３３は、サーバ５の記憶部（サーバ記憶部）としてのデータ管理部２２０に記憶された画面テーマ情報２３６（画面表示データ２３４）との同期を取る。これにより、サーバ５のデータ管理部２２０に記憶された最新の画面テーマ情報２３６（画面表示データ２３４）を、設備操作端末３の表示部１０に適用することができる。
【００５５】
画面テーマ情報（画面表示データ）の同期処理は、携帯端末４上で動作するアプリケーションソフトウェアに従って実行されるが、必ずしも携帯端末４に格納されたアプリケーションソフトウェアを用いる必要はない。例えば、携帯端末４上のウェブブラウザによってサーバ５に格納されたウェブコンテンツにアクセスし、そのウェブコンテンツに従って画面テーマ情報の同期処理が実行されてもよい。
【００５６】
図６は、サーバ５の構成を概略的に示すブロック図である。
サーバ５は、サーバ制御部２１０と、記憶部（サーバ記憶部）としてのデータ管理部２２０と、外部通信管理部２４１と、表示装置２５０とを有する。表示装置２５０は、サーバ５に備えられていなくてもよい。さらに、表示装置２５０は、サーバ制御部２１０と、データ管理部２２０と、外部通信管理部２４１とを含むコンピュータ装置の外部に備えられてもよい。
【００５７】
サーバ５は、インターネット７などのネットワークに接続された外部通信線Ｃ４を介して携帯端末４と通信する。サーバ５は、設備操作端末３の表示部１０の画面１０ａに適用される画面テーマ情報（画面表示データ）を管理する。
【００５８】
サーバ制御部２１０は、データ管理部２２０を管理する画面テーマ管理部２１１を有する。画面テーマ管理部２１１は、データ管理部２２０に記憶された情報の編集及び管理を行う。
【００５９】
データ管理部２２０は、少なくとも１組の機器別画面テーマ情報２３０を記憶し、管理を行う。
【００６０】
１組の機器別画面テーマ情報２３０は、少なくとも１つの設備操作端末３の内のいずれかにおける画面テーマ情報７０及び端末情報８０に対応する情報である。すなわち、図１に示される設備管理システム１において複数の設備機器２及び複数の設備操作端末３が備えられている場合に、複数の機器別画面テーマ情報２３０がサーバ５のデータ管理部２２０に記憶され、各機器別画面テーマ情報２３０は、各設備操作端末３の情報に対応する。
【００６１】
機器別画面テーマ情報２３０は、端末情報２３５と、画面テーマ情報２３６とを含む。
【００６２】
端末情報２３５は、設備操作端末３を特定する機器特定番号２３１と、機器Ｓ／Ｗバージョン２３２（機器ソフトウェアバージョン情報）とを含む。
【００６３】
画面テーマ情報２３６は、有効テーマ番号２３３と、少なくとも１組の画面表示データ２３４とを含む。端末情報２３５は、設備操作端末３のデータ管理部４０に記憶された端末情報８０に対応する。画面テーマ情報２３６は、設備操作端末３のデータ管理部４０に記憶された画面テーマ情報７０に対応する。
【００６４】
機器特定番号２３１は、設備操作端末３のデータ管理部４０に記憶された機器特定番号８１に対応する。機器Ｓ／Ｗバージョン２３２は、設備操作端末３のデータ管理部４０に記憶された機器Ｓ／Ｗバージョン８２に対応する。有効テーマ番号２３３は、設備操作端末３のデータ管理部４０に記憶された有効テーマ番号７１に対応する。画面表示データ２３４は、設備操作端末３のデータ管理部４０に記憶された画面表示データ７２に対応する。
【００６５】
機器特定番号２３１は、設備操作端末３を特定するための製造番号等の情報である。機器特定番号２３１は、有効テーマ番号２３３及び画面表示データ２３４と関連付けられて管理される。
【００６６】
機器Ｓ／Ｗバージョン２３２は、設備操作端末３にインストールされたソフトウェア（例えば、制御部３０に格納されたプログラム）のバージョンを示す情報である。例えば、サーバ５は、設備操作端末３のソフトウェアのバージョンに関連付けられた画面表示データ２３４を記憶し、設備操作端末３に送信することができる。
【００６７】
有効テーマ番号２３３は、少なくとも１組の画面表示データ２３４の内のいずれかに関連付けられる番号である。
【００６８】
画面表示データ２３４は、携帯端末４、サーバ５、又はこれらの端末以外の外部端末によって作成することができ、データ管理部２２０に記憶させることができる。例えば、設備機器２のメーカーなどが最新の画面表示データを作成し、サーバ５のデータ管理部２２０に格納してもよい。サーバ５のデータ管理部２２０には、アクセス制限を設定することができ、データ管理部２２０に記憶される情報ごとにアクセス可能な公開領域を設定することもできる。これにより、例えば、データ管理部２２０に記憶された画面表示データ２３４の送信先を制限することができる。
【００６９】
サーバ５の表示装置２５０は、サーバ制御部２１０によって制御され、情報が表示される。サーバ５を用いるシステム管理者などのユーザーは、表示装置２５０から携帯端末４を介して設備操作端末３及び設備機器群６の状態を監視することができる。
【００７０】
次に、設備操作端末３の表示部１０の画面１０ａの画面デザイン（画面テーマ）の変更処理について説明する。
【００７１】
図７は、設備操作端末３における表示部１０の画面１０ａの画面デザインの変更処理の一例を示すシーケンス図である。
【００７２】
設備操作端末３の表示部１０の画面１０ａには、第１の画面表示データを用いて制御された画面デザインに基づいて情報が表示されている。
【００７３】
携帯端末４に予めインストールされた設備操作端末３の管理用プログラム（アプリケーションソフトウェア）が起動すると、携帯端末４の操作端末接続管理部１３１は、通信部１４２を介して設備操作端末３と接続する（ステップＳ１）。
【００７４】
携帯端末４の画面テーマ同期部１３３は、製造番号等の機器特定番号８１の取得要求を設備操作端末３に送信する。設備操作端末３の画面テーマ管理部３３は、機器特定番号８１の取得要求を受信すると、データ管理部４０内の機器特定番号８１を読み出し、応答する。これにより、携帯端末４の画面テーマ同期部１３３は、機器特定番号８１を設備操作端末３から取得する（ステップＳ２）。
【００７５】
携帯端末４の画面テーマ同期部１３３は、設備操作端末３に記憶された機器Ｓ／Ｗバージョン８２の取得要求を設備操作端末３に送信する。設備操作端末３の画面テーマ管理部３３は、機器Ｓ／Ｗバージョン８２の取得要求を受信すると、データ管理部４０内の機器Ｓ／Ｗバージョン８２を読み出し、応答する。これにより、携帯端末４の画面テーマ同期部１３３は、機器Ｓ／Ｗバージョン８２を設備操作端末３から取得する（ステップＳ３）。
【００７６】
携帯端末４の画面テーマ同期部１３３は、設備操作端末３から取得した機器特定番号８１（サーバ５内の機器特定番号２３１）及び機器Ｓ／Ｗバージョン８２（サーバ５内の機器Ｓ／Ｗバージョン２３２）に関連付けられた最新の画面テーマ情報２３６（画面表示データ２３４）の取得要求を、サーバ５に送信する（ステップＳ４）。
【００７７】
サーバ５の画面テーマ管理部２１１は、取得した指定された機器特定番号２３１に関連付けられた最新の画面テーマ情報２３６（画面表示データ２３４）を読み出し、携帯端末４に返送する（ステップＳ５）。
【００７８】
携帯端末４は、取得した画面テーマ情報２３６（画面表示データ２３４）に基づいて形成される画面サンプル（設備操作端末３の表示部１０の画面１０ａに表示される画面デザインのサンプル）を表示部１１０に表示する。ユーザーは、携帯端末４上において画面表示データの新規作成又は編集を行うことができる（ステップＳ６）。
【００７９】
例えば、ユーザーは、携帯端末４を用いて、設備操作端末３の表示部１０の画面１０ａの画面デザインを決定する、部品画像、部品サイズ、及び表示座標などの画面表示データを作成することにより、新たな画面デザインを作成することができる。さらに、ユーザーは、携帯端末４を用いて、サーバ５から取得した画面表示データ２３４を編集することもできる。さらに、ユーザーは、設備機器２のメーカー又は第３者が作成及び提供している画面表示データを、新たな画面表示データ２３４として設定又は編集することもできる。
【００８０】
ステップＳ６で画面表示データを新規作成又は編集した場合、携帯端末４の画面テーマ同期部１３３は、画面テーマ情報２３６の更新要求をサーバ５に送信する（ステップＳ７）。
【００８１】
サーバ５の画面テーマ管理部２１１は、携帯端末４から送信された画面表示データを含む画面テーマ情報を、最新版の画面テーマ情報２３６としてデータ管理部２２０に保存する（ステップＳ８）。
【００８２】
サーバ５は、最新版の画面テーマ情報２３６の保存処理の完了応答を、携帯端末４に送信する。携帯端末４は、完了応答を受信すると、ステップＳ６で作成又は編集した画面表示データを含む画面テーマ情報を、画面テーマ切り替え命令と共に設備操作端末３に送信する（ステップＳ９）。
【００８３】
設備操作端末３の制御部３０（例えば、画面テーマ管理部３３）は、端末通信管理部９２を介して携帯端末４から画面テーマ切り替え命令及び画面テーマ情報を取得すると、取得した画面テーマ情報に含まれる画面表示データ（第２の画面表示データ）を、データ管理部４０に保存する（ステップＳ１０）。さらに、ステップＳ１０において、制御部３０（例えば、画面テーマ管理部３３）は、データ管理部４０に記憶された複数組の画面表示データ７２（例えば、第１及び第２の画面表示データ）の内のいずれかの画面表示データを選択する。本実施の形態では、制御部３０（例えば、画面テーマ管理部３３）は、画面テーマ切り替え命令に従って有効テーマ番号７１を、携帯端末４から受信した画面テーマ情報に含まれる画面表示データ（第２の画面表示データ）に関連付けられた番号に書き換える。ただし、制御部３０（例えば、画面テーマ管理部３３）が、携帯端末４から受信した第２の画面表示データに関連付けられる番号を新たに生成することにより、有効テーマ番号７１として設定してもよい。
【００８４】
有効テーマ番号７１が書き換えられたので、制御部３０（例えば、画面テーマ管理部３３）は、画面部品情報６０内の情報を、第１の画面表示データに基づく情報から第２の画面表示データに基づく情報に変更する。画面部品情報６０内の情報が更新されたので、制御部３０（例えば、画面表示処理部３２）は、画面部品情報６０内の情報（選択された第２の画面表示データ）を用いて、表示部１０の画面１０ａの表示を制御する。すなわち、制御部３０（例えば、画面テーマ管理部３３）は、第２の画面表示データを用いて表示部１０の画面１０ａの表示を制御することにより、表示部１０の画面１０ａの画面デザインを、第１の画面表示データを用いて制御された画面デザインから、第２の画面表示データを用いて制御された画面デザインに変更する。この結果、表示部１０の画面１０ａは、第２の画面テーマ情報に基づいて再描画される。設備操作端末３の画面テーマ管理部３３は、画面テーマの切り替えが正常に完了したことをサーバ５に通知するため、画面テーマ切り替え完了通知を送信する（ステップＳ１１）。
【００８５】
携帯端末４は、設備操作端末３から送信された画面テーマ切り替え完了通知をサーバ５に転送する（ステップＳ１２）。
【００８６】
サーバ５の画面テーマ管理部２１１は、画面テーマ切り替え完了通知を受信すると、有効テーマ番号２３３を、ステップＳ１０で設備操作端末３における有効テーマ番号７１として設定された番号に更新する。サーバ５は、有効テーマ番号２３３の更新処理の完了応答を、携帯端末４に送信する（ステップＳ１３）。
【００８７】
携帯端末４がサーバ５から完了応答を受信すると、携帯端末４の表示部１１０に、画面テーマの切り替え完了通知が表示される（ステップＳ１４）。
【００８８】
以上の処理により、設備操作端末３の表示部１０の画面１０ａの画面デザインの変更処理が完了する。
【００８９】
次に、ユーザーが、サーバ５を用いて設備操作端末３を管理する例について説明する。サーバ５は、設備操作端末３と直接通信してもよく、携帯端末４を介して設備操作端末３と通信してもよい。
【００９０】
サーバ５のデータ管理部２２０は、機器特定番号２３１と、機器特定番号２３１に関連付けられた画面テーマ情報２３６とを記憶する。サーバ制御部２１０は、機器特定番号２３１に関連付けられた画面テーマ情報２３６を、機器特定番号２３１によって特定される設備操作端末３に送信する。設備操作端末３の制御部３０は、サーバ５から受信した機器特定番号２３１に関連付けられた画面テーマ情報２３６（設備操作端末３における画面テーマ情報７０）を用いて表示部１０の画面１０ａの表示を制御する。
【００９１】
これにより、ユーザーは、サーバ５を用いて設備操作端末３の遠隔管理を行うことができる。例えば、ビル内に複数の設備操作端末３が設置されている場合でも、ユーザーは、機器特定番号２３１を指定することにより、特定の設備操作端末３の画面デザインの切り替えを実行することができる。サーバ５が、機器特定番号２３１（設備操作端末３における有効テーマ番号７１）を記憶することができるので、ユーザーは、設備操作端末３の表示部１０に適用される画面表示データ２３４を、サーバ５から確認することができ、画面デザインの切り替えを、サーバ５によって遠隔操作することができる。
【００９２】
次に、ユーザーが、サーバ５を用いて設備操作端末３を管理する他の例について説明する。サーバ５は、設備操作端末３と直接通信してもよく、携帯端末４を介して設備操作端末３と通信してもよい。
【００９３】
サーバ５のサーバ制御部２１０は、データ管理部２２０に記憶された画面テーマ情報２３６を用いて表示装置２５０の表示制御を実行する。表示装置２５０には、設備操作端末３の表示部１０の画面１０ａに表示される内容と同じ内容が表示される。サーバ５のサーバ制御部２１０は、データ管理部２２０に記憶された画面テーマ情報２３６を用いて表示装置２５０の表示制御を実行している状態で、表示装置２５０の表示制御に用いられている画面テーマ情報２３６を設備操作端末３に送信する。設備操作端末３の制御部３０は、サーバ５から受信した画面テーマ情報２３６（設備操作端末３における画面テーマ情報７０）を用いて表示部１０の画面１０ａの表示を制御する。
【００９４】
これにより、サーバ５の表示装置２５０の表示内容と、設備操作端末３の表示部１０の画面１０ａの表示内容とを同期させることができる。したがって、ユーザーは、サーバ５の表示装置２５０の表示内容を確認しながら、設備操作端末３の表示部１０の画面１０ａの表示を遠隔管理することができる。
【００９５】
次に、ユーザーが、サーバ５を用いて設備操作端末３を管理する他の例について説明する。サーバ５は、設備操作端末３と直接通信してもよく、携帯端末４を介して設備操作端末３と通信してもよい。
【００９６】
サーバ５のデータ管理部２２０は、設備操作端末３にインストールされたソフトウェアのバージョンを示す機器Ｓ／Ｗバージョン２３２と、機器Ｓ／Ｗバージョン２３２に関連付けられた画面テーマ情報２３６とを記憶する。例えば、設備操作端末３のソフトウェアアップデートが実行された場合に、サーバ制御部２１０は、機器Ｓ／Ｗバージョン２３２に関連付けられた画面テーマ情報２３６を、設備操作端末３に送信する。設備操作端末３の制御部３０は、サーバ５から受信した、機器Ｓ／Ｗバージョン２３２に関連付けられた画面テーマ情報２３６（設備操作端末３における画面テーマ情報７０）を用いて表示部１０の画面１０ａの表示を制御する。
【００９７】
これにより、サーバ５が機器Ｓ／Ｗバージョン２３２に関連付けられた画面テーマ情報２３６を記憶することができるので、設備操作端末３のソフトウェアアップデートが実行された場合であっても、設備操作端末３の表示部１０に適用される画面テーマ情報を、アップデート後のソフトウェアバージョンに基づいて、サーバ５によって自動的に切り替えることができる。さらに、ユーザーが、サーバ５を用いて設備操作端末３の表示部１０に適用される画面テーマ情報を、アップデート後のソフトウェアバージョンに基づいて遠隔管理することもできる。したがって、サーバ５に格納された最新版の画面テーマ情報を設備操作端末３の表示部１０の画面１０ａに反映することが可能となる。
【００９８】
本実施の形態では、携帯端末４を用いて設備操作端末３の表示部１０の画面１０ａの画面デザインを切り替える例を説明したが、携帯端末４の代わりにインターネット７に接続可能なコンピュータ、タブレット端末を用いてもよい。
【００９９】
本実施の形態では、設備操作端末３における表示部１０の画面１０ａの画面デザインを、携帯端末４で作成又は編集した画面デザインに切り替える例について説明したが、携帯端末４及びサーバ５以外の外部端末によって作成又は編集された画面デザインを、サーバ５に格納し、表示部１０の画面１０ａに適用してもよい。
【０１００】
変形例．
図８は、変形例に係る設備操作端末における制御部３０ａの構成を示すブロック図である。制御部３０ａは、実施の形態に係る設備操作端末３における制御部３０に適用可能である。
【０１０１】
制御部３０ａは、ＣＰＵ（Ｃｅｎｔｒａｌ  Ｐｒｏｃｅｓｓｉｎｇ  Ｕｎｉｔ）等のプロセッサ３０ｂ、ＲＯＭ（Ｒｅａｄ  Ｏｎｌｙ  Ｍｅｍｏｒｙ）３０ｃ、及びＲＡＭ（Ｒａｎｄｏｍ  Ａｃｃｅｓｓ  Ｍｅｍｏｒｙ）３０ｄを有する。ＲＯＭ３０ｃには設備操作端末内の構成要素を制御するためのプログラム等が格納されている。ＲＡＭ３０ｄは、ＲＯＭ３０ｃに格納されたプログラム等をロードする記憶領域として用いられる。プロセッサ３０ｂは、例えば、ＲＡＭ３０ｄにプログラムをロードしてプログラムを実行することにより、制御部３０ａの機能を実現する。例えば、実施の形態で説明した設備機器管理部３１、画面表示処理部３２、及び画面テーマ管理部３３の各々の機能は、プロセッサ３０ｂがＲＯＭ３０ｃに格納されたプログラムを実行することにより、実現される。
【０１０２】
以上に説明したように、本実施の形態に係る設備操作端末３、この設備操作端末３を有する設備管理システム１、及びこの設備操作端末３の管理方法によれば、設備操作端末３が、画面デザインの変更を実行するための画面テーマ情報７０を記憶するデータ管理部４０と、画面デザインの切り替えを実行する制御部３０とを有するので、設備機器２を操作するための設備操作端末３の画面１０ａの画面デザインの変更を容易にすることができる。例えば、設備機器２による画面１０ａの画面デザインの切り替え制御が不要になり、設備機器２の動作負荷を低減することができる。
【０１０３】
さらに、設備操作端末３、この設備操作端末３を有する設備管理システム１、及びこの設備操作端末３の管理方法は、上述した効果のほか、以下の効果を有する。
【０１０４】
表示部１０の画面１０ａの表示内容（部品画像、部品サイズ、表示座標など）を、任意の画面テーマ情報（画面表示データ）に基づいて変更することができるので、異なる設備機器（例えば、空調機器及び照明機器）を操作する複数の設備操作端末（例えば、空調機器用操作端末及び照明機器用操作端末）の表示部の画面を、互いに統一化された画面デザインにカスタマイズすることができる。
【０１０５】
設備操作端末３を必ずしもビル内のＬＡＮに接続させる必要がないので、設備管理システム１の構築を容易に実現することができる。
【０１０６】
設備操作端末３のデータ管理部４０に画面テーマ情報７０を記憶させることができるので、設備操作端末３を、外部端末（例えば、携帯端末４又はサーバ５）と常時通信可能に接続させておく必要がない。したがって、設備操作端末３を、外部端末（例えば、携帯端末４又はサーバ５）と常時通信可能に接続するためのネットワーク構築が不要であり、設備操作端末３の管理が容易になる。
【０１０７】
設備操作端末３を直接インターネット７に接続させておく必要がないので、ＤＯＳ攻撃（Ｄｅｎｉａｌ  ｏｆ  Ｓｅｒｖｉｃｅ  ａｔｔａｃｋ）などの情報セキュリティを高めることができる。
【０１０８】
設備操作端末３の初期設定時（初期画面モード時）に用いられる第１の画面表示データを予めデータ管理部４０に記憶させることができるので、データ管理部４０に第２の画面テーマ情報が記憶されていない場合であっても、少なくとも第１の画面表示データに基づいて、表示部１０に情報を表示させることができる。さらに、第２の画面表示データに不具合がある場合でも、表示部１０を、第１の画面表示データに基づく表示に切り替えることができる。
【０１０９】
設備操作端末３の制御部３０は、言語指定情報７３を設定することにより、表示部１０の画面１０ａに表示させるテキストデータの言語の種類を設定することができる。したがって、設備機器２が設置される国、地域などに応じてユーザーが表示部１０の画面１０ａに表示させるテキストデータの言語の種類を変更することができる。
【０１１０】
設備操作端末３の制御部３０は、複数の画像（例えば、商品の宣伝用の情報を含む画像、ブランドのロゴマークなど）を予め定められた期間ごとに切り替えて表示部１０の画面１０ａに表示させることができるので、設備機器２の操作用の情報以外の種々の情報を提供することができる。
【０１１１】
以上に説明した実施の形態における特徴及び変形例における特徴は、互いに適宜組み合わせることができる。本発明は、上述の実施の形態及び図面によって限定されるものではない。本発明の要旨を変更しない範囲で実施の形態および図面に変更を加えることができるのはもちろんである。
【符号の説明】
【０１１２】
１  設備管理システム、  ２  設備機器、  ３  設備操作端末、  ４  携帯端末、  ５  サーバ、  ６  設備機器群、  ７  インターネット、  １０  表示部、  １０ａ  画面、  ２０  入力部、  ３０  制御部、  ３１  設備機器管理部、  ３２  画面表示処理部、  ３３  画面テーマ管理部、  ４０  データ管理部、  ５０  設備機器情報、  ５１  運用情報、  ５２  接続情報、  ６０  画面部品情報、  ６１  部品画像、  ６２  部品サイズ、  ６３  表示座標、  ７０  画面テーマ情報、  ７１  有効テーマ番号、  ７２  画面表示データ、  ７３  言語指定情報、  ８０  端末情報、  ８１  機器特定番号、  ８２  機器Ｓ／Ｗバージョン、  ９１  設備機器通信管理部、  ９２  端末通信管理部、  ２１０  サーバ制御部、  ２２０  データ管理部、  ２３０  機器別画面テーマ情報、  ２３６  画面テーマ情報、  ２４１  外部通信管理部、  ２５０  表示装置。
【図１】
0006351646.tif 000002
【図２】
0006351646.tif 000003
【図３】
0006351646.tif 000004
【図４】
0006351646.tif 000005
【図５】
0006351646.tif 000006
【図６】
0006351646.tif 000007
【図７】
0006351646.tif 000008
【図８】
0006351646.tif 000009